(57)【要約】【課題】包装袋内の排尿処理材の量にかかわらず、所望量の排尿処理材を注ぎ入れる作業を容易に行うことができる、把持部付きのペット用の排尿処理材の包装袋を提供する。【解決手段】重ねあわせた２枚のフィルムの周縁に設けたシール部と、シール部に囲まれた収容部と、把持部と、を備え、上部の一隅に設けた切り取り線を備え、切り取り線は、切り取られることにより、注出口を形成する注出口形成用の切り取り線であり、切り取り線と、前記包装袋の上辺とのなす角度θ１は５°以上４５°未満である、ペット用排尿処理材の包装袋である。【選択図】図１
2020196487.tif 000002
【特許請求の範囲】
【請求項１】
重ねあわせた２枚のフィルムの周縁に設けたシール部と、前記シール部に囲まれた収容部と、把持部と、を備えるペット用排尿処理材の包装袋であって、
上部の一隅に設けた切り取り線を備え、
前記切り取り線は、切り取られることにより、注出口を形成する注出口形成用の切り取り線であり、
前記切り取り線と、前記包装袋の上辺とのなす角度θ１は５°以上４５°未満である、ペット用排尿処理材の包装袋。
【請求項２】
前記ペット用排尿処理材の直径が２ｍｍ以上１０ｍｍ以下であるとともに、その安息角が３０°以上５０°未満であり、かつ、前記角度θ１が２０°以上４５°未満であるか、
前記ペット用排尿処理材の直径が２ｍｍ以上１０ｍｍ以下であるとともに、その安息角が５０°以上８０°以下であり、かつ前記角度θ１が５°以上２０°未満である、請求項１に記載のペット用排尿処理材の包装袋。
【請求項３】
前記切り取り線のうち、前記フィルムがシールされていない未シール部分の長さが、５ｃｍ以上１５ｃｍ以下である、請求項１または２に記載のペット用排尿処理材の包装袋。
【請求項４】
前記把持部は、前記切り取り線の設けられた一隅とは相違する上部の一隅に設けられ、
前記把持部の周縁の少なくとも一部には、前記フィルムがシールされていない未シール部が設けられている、請求項１〜３のいずれか１項に記載のペット用排尿処理材の包装袋。
【請求項５】
前記把持部は、円形孔を含む、請求項１〜４のいずれか１項に記載のペット用排尿処理材の包装袋。
【請求項６】
前記把持部は、間隔をあけて設けられた２以上の円形孔を含み、
隣り合う円形孔の間の間隙領域には、前記フィルムがシールされていない未シール部が設けられている、請求項１〜５のいずれか１項に記載のペット用排尿処理材の包装袋。
【請求項７】
前記把持部は、間隔をあけて設けられた３以上の円形孔を含み、
前記３以上の円形孔は、端部にそれぞれ設けられた端部円形孔と、２つの端部円形孔の間に設けられた１以上の中央円形孔と、を含み、
前記中央円形孔の少なくとも１つは、前記２つの端部円形孔の中心を結ぶ線からずれた位置に設けられている、請求項１〜６のいずれか１項に記載のペット用排尿処理材の包装袋。
【発明の詳細な説明】
【技術分野】
【０００１】
本発明は、ペット用排尿処理材の包装袋に関する。
【背景技術】
【０００２】
ペット用排尿処理材、特に猫用排尿処理材としては、例えば、特許文献１に記載のものが知られている。
特許文献１には、２種類の異なる性質の粘土鉱物と、所定のリン原子含有成分と、を所定の割合で含有することにより、固化量が少なく、鉱物使用量を低減してもべとつきがない塊を形成し得るとともに、メルカプタンの消臭性を悪化することなく、アンモニア臭の消臭性を改善し得ることが記載されている。
【０００３】
ペット用排尿処理材の、一般的な使用方法について説明する。まず、包装袋に封入された処理材を、地面に置かれたトイレ容器に注ぎ入れ、ペットが排尿する度に、凝集固化物（尿を吸収して凝集固化した処理材）をスコップ等で取り除き、凝集固化に使用された量の処理材を注ぎ入れて減少した処理材分を補充する。飼い主が処理材を補充するタイミングについて、飼い主やペットに対する衛生面の観点や、尿に起因する悪臭発生を防止する観点から、通常排尿の度ごと（あるいは少ない排尿回数の度ごと）に補充することが、行われている。補充する処理材の量は、使用される排尿処理材の原料の構成によって調整されるが、例えば、１回分の排尿に使用され廃棄される処理材そのものの質量（尿を含まない状態での質量）として、５ｇ〜５０ｇ程度が一般的である。したがって飼い主は、排尿の度ごとに、比較的少量（例えば、排尿１〜２回であれば１０ｇ〜１００ｇ程度）の処理材を補充することになる。
【０００４】
このような、ペット用排尿処理材は、包装袋に封入された形態で販売されているのが一般的であり、その封入量は、通常、大容量（例えば５〜１０リットル）である。
【先行技術文献】
【特許文献】
【０００５】
【特許文献１】特開２０１９−２４４２９号公報
【発明の概要】
【発明が解決しようとする課題】
【０００６】
包装袋に大容量のペット用排尿処理材（以下、単に「排尿処理材」ともいう）を封入すると、重くなり、運搬しにくくなる。そこで、運搬の利便性等を考慮し、把持部を設けた包装袋について検討した。
把持部を設けた包装袋に排尿処理材を封入し、一方の手で把持部を握って、地面に置かれたトイレ容器に排尿処理材を注ぎ入れる作業を行ったところ、包装袋の下部が折れ曲がってしまい、所望量（例えば、１回分の排尿に使用され廃棄される量）の処理材を注ぎ入れることが、容易に行えないことがあった。特に、包装袋内の排尿処理材の量が少なくなると、袋の下部が折れ曲がりやすくなるため、所望量の排尿処理材を注ぎ入れることが容易に行えないことがあった。また、地面に置かれたトイレ容器に排尿処理材を注ぎ入れる際には、腰を曲げた姿勢で作業を行うことが多いため、トイレ容器に所望量の排尿処理材を注ぎ入れる作業を容易に行えないおそれがある。
【０００７】
本発明の課題は、包装袋内の排尿処理材の量にかかわらず、所望量の排尿処理材を注ぎ入れる作業を容易に行うことができる、把持部付きのペット用の排尿処理材の包装袋を提供することである。
【課題を解決するための手段】
【０００８】
本発明者らは、上記課題について鋭意検討した結果、把持部を設けた排尿処理材の包装袋の上部の一隅に所定形状の注出口を設けることにより、上記の課題を解決できることを見出し、本発明を完成するに至った。
即ち、本発明者らは、下記の〔１〕〜〔７〕を提供する。
〔１〕  重ねあわせた２枚のフィルムの周縁に設けたシール部と、前記シール部に囲まれた収容部と、把持部と、を備えるペット用排尿処理材の包装袋であって、
上部の一隅に設けた切り取り線を備え、
前記切り取り線は、切り取られることにより、注出口を形成する注出口形成用の切り取り線であり、
前記切り取り線と、前記包装袋の上辺とのなす角度θ１は５°以上４５°未満である、ペット用排尿処理材の包装袋。
〔２〕  前記ペット用排尿処理材の直径が２ｍｍ以上１０ｍｍ以下であるとともに、その安息角が３０°以上５０°未満であり、かつ、前記角度θ１が２０°以上４５°未満であるか、
前記ペット用排尿処理材の直径が２ｍｍ以上１０ｍｍ以下であるとともに、その安息角が５０°以上８０°以下であり、かつ前記角度θ１が５°以上２０°未満である、〔１〕に記載のペット用排尿処理材の包装袋。
〔３〕  前記切り取り線のうち、前記フィルムがシールされていない未シール部分の長さが、５ｃｍ以上１５ｃｍ以下である、〔１〕または〔２〕に記載のペット用排尿処理材の包装袋。
〔４〕  前記把持部は、前記切り取り線の設けられた一隅とは相違する上部の一隅に設けられ、
前記把持部の周縁の少なくとも一部には、前記フィルムがシールされていない未シール部が設けられている、〔１〕〜〔３〕のいずれか１項に記載のペット用排尿処理材の包装袋。
〔５〕  前記把持部は、円形孔を含む、〔１〕〜〔４〕のいずれか１項に記載のペット用排尿処理材の包装袋。
〔６〕  前記把持部は、間隔をあけて設けられた２以上の円形孔を含み、
隣り合う円形孔の間の間隙領域には、前記フィルムがシールされていない未シール部が設けられている、〔１〕〜〔５〕のいずれか１項に記載のペット用排尿処理材の包装袋。
〔７〕  前記把持部は、間隔をあけて設けられた３以上の円形孔を含み、
前記３以上の円形孔は、端部にそれぞれ設けられた端部円形孔と、２つの端部円形孔の間に設けられた１以上の中央円形孔と、を含み、
前記中央円形孔の少なくとも１つは、前記２つの端部円形孔の中心を結ぶ線からずれた位置に設けられている、〔１〕〜〔６〕のいずれか１項に記載のペット用排尿処理材の包装袋。
【発明の効果】
【０００９】
本発明によれば、包装袋内の排尿処理材の量にかかわらず、所望量の排尿処理材を注ぎ入れる作業を容易に行うことができる、把持部付きのペット用排尿処理材の包装袋を提供することができる。
【図面の簡単な説明】
【００１０】
【図１】図１は、実施形態１に係るペット用排尿処理材の包装袋を模式的に示した正面図である。
【図２】図２は、図１の一部拡大図である。
【図３】図３は、ペット用排尿処理材の包装袋を使用する様子を模式的に示した正面図である。
【図４】図４は、実施形態１のペット用排尿処理材の包装袋の注出口が開口した状態を模式的に示した一部拡大図である。
【図５】図５は、比較のペット用排尿処理材の包装袋の、注出口が開口した状態を模式的に示した一部拡大図である。
【図６】図６は、実施形態２に係るペット用排尿処理材の包装袋を模式的に示した正面図である。
【発明を実施するための形態】
【００１１】
［実施形態１］
以下、本発明に係る実施形態１のペット用排尿処理材の包装袋を図１〜図５を参照しつつ説明する。以下の説明において、上下方向に関しては図１の上下方向を基準として説明する。
【００１２】
［包装袋］
本実施形態のペット用排尿処理材の包装袋１０は、ペット用排尿処理材を封入して保管するためのものであって、図１に示すように、重ねあわせた２枚のフィルムの周縁に設けたシール部と、シール部に囲まれた収容部１５と、上部に設けた把持部２０と、上部の一隅に設けた切り取り線と、を備える。各図において、フィルムがシールされている部分を分かりやすくするため、シール部にはハッチングを付している。
【００１３】
包装袋１０は２枚のフィルムの全周（上部１４、底部１３、側部１１，１２）がシールされている。上部１４、底部１３および側部１１，１２のシール幅は、特に限定されないが、側部１２のシール幅は１ｍｍ以上５０ｍｍ以下であるのが好ましい。側部１２は、排尿処理材をペット用トイレに注ぎ入れる際に下側に配される部分であり、この部分のシール幅が前記範囲下であると、包装袋の下部が折れ曲がりにくいため、所望量の排尿処理材を注ぎ入れる作業をより容易に行うことができる。側部１２のシール幅は、より好ましくは２ｍｍ以上、さらに好ましくは５ｍｍ以上であり、より好ましくは３０ｍｍ以下、さらに好ましくは２０ｍｍ以下である。
【００１４】
本発明において、「所望量の排尿処理材」の「所望量」とは、例えば１回分の排尿に使用され廃棄される量としうる。１回分の排尿に使用され廃棄される量は、排尿処理材の種類及びペットの排尿量により適宜設定することができる。１回分の排尿に使用され廃棄される量（尿を吸収する前の処理材の量）としては、好ましくは５ｇ以上、より好ましくは      １０ｇ以上であり、好ましくは５０ｇ以下、より好ましくは４０ｇ以下である。
【００１５】
シール部は２枚のフィルムをヒートシールすることにより設けることができる。上部１４、底部１３および側部１１，１２のシール部の厚みは、特に限定されないが、側部１２のシール部の厚みは３０μｍ以上５００μｍ以下であるのが好ましい。側部１２は、排尿処理材をペット用トイレに注ぎ入れる際に下側に配される部分であり、この部分のシール部の厚みが前記範囲下であると、包装袋の下部が折れ曲がりにくいため、所望量の排尿処理材を注ぎ入れる作業をより容易に行うことができる。側部１２のシール部の厚みは、好ましくは４０μｍ以上、より好ましくは５０μｍ以上、さらに好ましくは６０μｍ以上であり、好ましくは３００μｍ以下、より好ましくは２５０μｍ以下、さらに好ましくは２００μｍ以下である。
【００１６】
２枚のフィルムの材料は、特に限定されず、一般的な積層フィルムを用いうる。このような積層フィルムとしては、例えば、外側に配される基材層と内側に配されるシーラント層とを含む積層フィルムが挙げられる。積層フィルムは、基材層と、シーラント層との間に中間層が設けられたものであってもよい。
【００１７】
基材層としては、ポリエチレンテレフタレート（ＰＥＴ）、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの材料からなる、延伸あるいは無延伸のフィルムが挙げられる。これらのうち、ポリアミドからなる延伸又は無延伸のフィルムが好ましい。
【００１８】
シーラント層としては、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、エチレン−プロピレン共重合体（ＥＰ）、エチレン−αオレフィン共重合体、エチレン−アクリル酸共重合体（ＥＡＡ）、エチレン−メタクリル酸共重合体（ＥＭＡＡ）、エチレン−メタクリル酸エステル共重合体、エチレン−アクリル酸エステル共重合体、アイオノマー樹脂、エチレン−酢酸ビニル共重合体（ＥＶＡ）などの樹脂、またはこれらの樹脂を成膜化したフィルムが挙げられる。これらのうち、直鎖状低密度ポリエチレン樹脂（ＬＬＤＰＥ）が好ましい。
【００１９】
中間層としては、基材層として例示したフィルムと同様のものが挙げられる。これらの層を積層する方法としては、特に限定されず、通常用いられる、ドライラミネーションや押出しラミネーション（サンドイッチラミネーションを含む）等の方法により積層することができる。
【００２０】
フィルムとして積層フィルムを用いる場合、基材層の厚みは、好ましくは５μm以上、より好ましくは７μｍ以上、さらに好ましくは１０μm以上であり、好ましくは４０μm以下、より好ましくは３０μm以下、さらに好ましくは２０μm以下である。また、シーラント層の厚みは、好ましくは５０μｍ以上、より好ましくは６０μｍ以上、さらに好ましくは７０μm以上であり、好ましくは２００μm以下、より好ましくは１５０μm以下、さらに好ましくは１００μm以下である。
【００２１】
包装袋の内容量は、２リットル以上１０リットル以下であるのが好ましい。包装袋の内容量は、より好ましくは２．５リットル以上、さらに好ましくは３リットル以上であり、より好ましくは８リットル以下、さらに好ましくは６リットル以下である。包装袋の内容量を前記範囲とすることにより運搬が行いやすく、所望量の排尿処理材をトイレ容器に注ぎ入れる作業を行いやすくなる。
【００２２】
包装袋の内容物の質量は、１ｋｇ以上１０ｋｇ以下であるのが好ましい。包装袋の内容物の質量は、より好ましくは１．５ｋｇ以上、さらに好ましくは２ｋｇ以上であり、より好ましくは８ｋｇ以下、さらに好ましくは６ｋｇ以下である。包装袋の内容物の質量を前記範囲とすることにより、運搬が行いやすく、所望量の排尿処理材をトイレ容器に注ぎ入れる作業を行いやすくなる。
【００２３】
［排尿処理材］
包装袋の内容物であるペット用排尿処理材としては、特に限定されないが、例えば粘土を原料とするもの、木材を原料とするもの、紙を原料とするものなどが挙げられる。具体的には、例えば特許文献１に記載されているトイレ砂（２種類の異なる性質の粘土鉱物と、所定のリン原子含有成分と、を所定の割合で含有するペット用トイレ砂）、ベントナイト、トウモロコシ芯粉、及び結着剤を含むトイレ砂等が挙げられる。
【００２４】
排尿処理材の形状は、特に限定されないが、例えば、球形、円柱状、フレーク状、波板状、ペレット状等が挙げられる。これらのうち、トイレ容器への注ぎ入れやすく、取扱いが行いやすいという観点から、円柱状、ペレット状の形状のものが好ましく、円柱状のものがより好ましい。
【００２５】
排尿処理材の形状が円柱状である場合、直径が２ｍｍ以上１０ｍｍ以下であるのが好ましい。この場合、排尿処理材の長さは、好ましくは２ｍｍ以上３０ｍｍ以下、より好ましくは３ｍｍ以上２５ｍｍ以下、さらに好ましくは４ｍｍ以上２０ｍｍ以下である。円柱状の排尿処理材の直径とは円形面の直径を意味し、当該排尿処理材の長さとは側面の長さを意味する。
【００２６】
排尿処理材の嵩密度は、好ましくは０．１ｇ／ｃｍ３以上、より好ましくは０．１５ｇ／ｃｍ３以上、さらに好ましくは０．２ｇ／ｃｍ３以上であり、好ましくは１．０ｇ／ｃｍ３以下、より好ましくは０．９５ｇ／ｃｍ３以下、さらに好ましくは０．９ｇ／ｃｍ３以下である。排尿処理材の嵩密度を前記範囲とすることにより、所望量の排尿処理材をトイレ容器に注ぎ入れる作業が行いやすくなる。
【００２７】
排尿処理材の嵩密度は、例えば、特定の容量の容器に試料を入れて、上面を水平にすりきり、その資料の重量を測定することで求めることができる。
【００２８】
排尿処理材の安息角は、好ましくは３０°以上８０°以下である。排尿処理材の安息角は、より好ましくは３５°以上であり、より好ましくは７５°以下である。排尿処理材の安息角を前記範囲とすることにより、所望量の排尿処理材をトイレ容器に注ぎ入れる作業が行いやすくなる。一般的に、粘土を原料とする排尿処理材の大きさは小さい傾向にあり、その安息角は、３０°以上５０°未満であり、紙を原料とする排尿処理材の大きさはより大きい傾向にあり、その安息角は５０°以上８０°以下である。
【００２９】
排尿処理材の安息角は原料によって相違する傾向があり、例えば粘土を原料とするものよりも、紙を原料とするものにおいて安息角が大きい傾向がある。
【００３０】
安息角の測定は以下の方法により行いうる。
角度の目盛りがついた、横蓋付の測定器を平らな場所に置き、該測定器の横蓋を閉じた状態で、該測定器の上面から排尿処理材を流し入れ、該測定器の上面から所定位置まで山盛り状に充填する。次いで、横蓋を静かに開き、充填された排尿処理材を、重力により自然に排出させる。その後、該測定器内に残った排尿処理材の表面と水平面とのなす角度（傾斜角）を、目盛りから読み取ることにより、安息角（°）を測定しうる。
【００３１】
［切り取り線］
包装袋１０の上部の左側の一隅には、切り取り線３０が設けられている。切り取り線３０は、切り取られることにより、注出口３１を形成する注出口形成用の切り取り線である（図３を参照）。
【００３２】
包装袋１０の切り取り線３０に対応する位置には切断しやすい加工（例えば、ハーフカット線、半抜き加工等）が施されていてもよい。また切り取り線３０の一端に、切断の開始点を容易に形成するために切り欠き部やスリット等を設けてもよい。
【００３３】
本発明において、切り取り線３０と、包装袋１０の上辺とのなす角度θ１は５°以上４５°未満である。切り取り線３０と包装袋の上辺とのなす角度θ１をこのような範囲とすることにより、一方の手で把持部を握って、所望量の排尿処理材をトイレ容器に注ぎ入れる作業が行いやすくなる。切り取り線３０と包装袋の上辺とのなす角度θ１を上記範囲とすることにより、上記のような効果が得られるのは、以下の理由によると推測される。
包装袋１０の上辺とのなす角度θ１が５°以上４５°未満となるように設けた切り取り線３０に沿って包装袋１０を切断すると、注出口３１が形成される（図３参照）。一方の手で把持部を握って、排尿処理材をトイレ容器に注ぎ入れる際に、注出口３１が下方に向くように、包装袋１０を傾けると、注出口３１が開口して図４に示すような形状（しずく状）を呈する。図４に示す開口状態の注出口３１において、最大幅の部分３０Ｍは、注出口３１の上下方向の中心よりも下に位置するので、排尿処理材の注出量の調整が行いやすい。また、上記角度θ１が５°以上４５°未満である場合、図１に示すように、Ａ２の長さがＡ１の長さよりも長いので、排尿処理材を注ぎ入れる作業の際に、排尿処理材がトイレ容器に注ぎ入れられる様子が見やすい。その結果、切り取り線３０と包装袋の上辺とのなす角度θ１を上記範囲とすることにより、トイレ容器に注ぎ入れる作業が行いやすくなると推測される。
【００３４】
一方、包装袋の上辺に対する角度θ１が４５°以上となるように設けた切り取り線に沿って包装袋１０の上隅を切断し注出口を形成すると、注出口が開口して図５に示すような形状(楕円形状)を呈する。図５に示す開口状態の注出口において、最大幅の部分３Ｍは、注出口の上下方向（３Ａと３Ｂを結ぶ方向）の中心かまたは当該中心よりも上に位置するので、包装袋内の排尿処理材の量が多いときは、注出口から所望の量よりも多くの排尿処理材が注出されてしまい、排尿処理材の注出量の調整が行い難い。また、この態様では、排尿処理材を注ぎ入れる作業の際に、トイレ容器に注ぎ入れられる様子が見え難いため、トイレ容器に注ぎ入れる排尿処理材の量の調整が行い難くなる。
【００３５】
所望量の排尿処理材をトイレ容器に注ぎ入れる作業がより行いやすくなるという観点から、排尿処理材の直径が２ｍｍ以上１０ｍｍ以下であるとともに、その安息角が３０°以上５０°未満である場合、角度θ１が２０°以上４５°未満である態様（態様１）、排尿処理材の直径が２ｍｍ以上１０ｍｍ以下であるとともに、その安息角が５０°以上８０°以下である場合、角度θ１が５°以上２０°未満である態様（態様２）が好ましい。また、排尿処理材の形状が円柱状である場合において、粘土を原料とする排尿処理材の直径が２ｍｍ以上７ｍｍ以下である場合、角度θ１が２０°以上４５°未満である態様（態様１）、紙を原料とする排尿処理材の直径が４ｍｍ以上１０ｍｍ以下である場合、角度θ１が５°以上２０°未満である態様（態様２）が好ましい。
【００３６】
上記態様１において、切り取り線３０のうちフィルムがシールされていない未シール部分（切り取り線の未シール部分）の長さは、好ましくは５ｃｍ以上１５ｃｍ以下であり、より好ましくは６ｃｍ以上、さらに好ましくは７ｃｍ以上であり、より好ましくは１４ｃｍ以下、さらに好ましくは１３ｃｍ以下である。上記態様２において、切り取り線３０の未シール部分の長さは、好ましくは５ｃｍ以上１５ｃｍ以下であり、より好ましくは６ｃｍ以上、さらに好ましくは７ｃｍ以上であり、より好ましくは１４ｃｍ以下、さらに好ましくは１３ｃｍ以下である。上記態様１および２において、５ｃｍ以上であると、特に内容量が多い場合においても注出口で排尿処理材が詰まることが抑制でき所望量を注ぎ入れることが容易になる。１５ｃｍ以下であると、所望量より多くの排尿処理材が注ぎ出ることを抑制でき所望量を注ぎ入れることが容易になる。本実施形態において、「切り取り線の未シール部分の長さ」は、図１における３０Ａから３０Ｂまでの長さに対応する。
【００３７】
［把持部］
包装袋１０の上部には把持部２０が設けられている。本実施形態において把持部２０は、切り取り線３０の設けられた一隅（図示左側の隅）とは反対側の上部の一隅（図示右側の隅）に設けられている。把持部を切り取り線３０と反対側に設けることにより、排尿処理材をトイレ容器に注ぎ入れる作業が行いやすくなる。
【００３８】
本実施形態において、把持部２０は３つの円形孔２１，２２，２３(３つ以上の円形孔)を含む。把持部２０の形状が円形であることにより、把持部の強度を高め、手を入れたときの触感を良好なものとすることができる。また、把持部２０が３つ以上の円形孔２１，２２，２３を含むことにより、把持部を持ち上げる際に指にかかる圧力が分散されるので、指への負担が軽減されうる。
【００３９】
３つの円形孔２１，２２，２３は間隔をあけて設けられており、隣り合う円形孔の間の間隙領域２５には、未シール部が設けられている。隣り合う円形孔の間の間隙領域２５に未シール部を設けることにより、把持部に負荷がかかった時に未シール部が伸びることで、把持部のちぎれや破れの発生を抑制することができる。その結果、把持部２０の強度を高めることができる。
【００４０】
円形孔２１，２２，２３の大きさは、指が入る大きさであれば特に限定されないが、円形孔の直径は好ましくは１５ｍｍ以上、より好ましくは１８ｍｍ以上、さらに好ましくは２０ｍｍ以上であり、好ましくは４０ｍｍ以下、より好ましくは３５ｍｍ以下、さらに好ましくは３０ｍｍ以下である。
【００４１】
３つ以上の円形孔は、端部にそれぞれ設けられた端部円形孔２１，２３と、２つの端部円形孔２１と２３との間に設けられた中央円形孔２２と、を含む。中央円形孔２２は、図２に示すように、その中心位置２２Ｐが、端部円形孔２１の中心２１Ｐと端部円形孔２３の中心２３Ｐとを結ぶ線Ｘ１からずれた位置に設けられている。このように、２つの端部円形孔２１と２３との間に設けられた中央円形孔２２とをずれた位置に設けることにより、一方の手の指を円形孔に入れて包装袋を把持したときに、包装袋を安定した状態で把持することができるので、排尿処理材を注ぎ入れる作業が行いやすくなる。
【００４２】
本実施形態の作用効果について説明する。
本実施形態において、ペット用排尿処理材の包装袋は、上部の一隅に、切り取られることにより、注出口３１を形成する注出口形成用の切り取り線３０を備え、この切り取り線３０と、包装袋１０の上辺とのなす角度θ１は５°以上４５°未満である。本実施形態において、排尿処理材をトイレ容器に注ぎ入れる際に、注出口３１が下方に向くように、包装袋１０を傾けると、注出口３１が開口して図４に示すような形状を呈するので、排尿処理材の注出量の調整が行いやすく、排尿処理材を注ぎ入れる作業の際に、排尿処理材がトイレ容器に注入される様子が見やすい。その結果、本実施形態によれば、包装袋内の排尿処理材の量にかかわらず、所望量の排尿処理材を注ぎ入れる作業を容易に行うことができる。
【００４３】
本実施形態において、把持部２０は、切り取り線３０の設けられた一隅とは相違する上部の一隅に設けられている。つまり、本実施形態では、切り取り線３０を切断して形成される注出口３１と把持部とは上部の２つの隅にそれぞれ設けられているので、一方の手で把持部２０を把持して、包装袋１０を持ち上げると、注出口３１側が下側に傾く（図３参照）。包装袋をさらに傾けると、注出口３１から、包装袋１０に収容されている排尿処理材が注出されるので、排尿処理材をトイレ容器に注ぎ入れる作業が行いやすい。
【００４４】
また本実施形態において、把持部２０は、間隔をあけて設けられた３つの円形孔２１，２，２３を含む。本実施形態によれば把持部２０の形状が円形であるので、把持部２０の強度を高め、手を入れたときの触感を良好なものとすることができ、把持部２０が３つ以上の円形孔２１，２２，２３を含むので、把持部２０を持ち上げる際に指にかかる圧力が分散され、指への負担が軽減されうる。
【００４５】
また、本実施形態において、隣り合う円形孔２１，２２，２３の間の間隙領域２５には、未シール部が設けられているので、把持部２０に負荷がかかったときに未シール部が伸びるようになっており、これにより、把持部２０がちぎれたり、破れることが抑制される。その結果、本実施形態によれば、把持部２０の強度を高めることができる。
【００４６】
更に、本実施形態において、３つの円形孔２１，２２，２３のうち中央の円形孔２２は、２つの端部円形孔２１，２３の中心を結ぶ線からずれた位置に設けられているので、一方の手の指を円形孔２１，２２，２３に入れて包装袋１０を把持したときに、包装袋１０を安定した状態で把持することができるので、排尿処理材を注ぎ入れる作業が行いやすくなる。
【００４７】
［実施形態２］
以下、本発明に係る実施形態２のペット用排尿処理材の包装袋を、図６を参照しつつ説明する。以下の説明において、上下方向に関しては図６の上下方向を基準として説明する。
【００４８】
本実施形態のペット用排尿処理材の包装袋１００は、把持部１２０の形状が実施形態１と相違する。以下において、実施形態１と同様の構成に関する重複した説明は省略する。
【００４９】
本実施形態の包装袋１００は、図６に示すように、重ねあわせた２枚のフィルムの周縁に設けたシール部と、シール部に囲まれた収容部１１５と、上部に設けた把持部１２０と、上部の一隅に設けた切り取り線１３０と、を備える。図６において、フィルムがシールされている部分を分かりやすくするため、シール部にはハッチングを付している。
【００５０】
包装袋１００は２枚のフィルムの全周（上部１１４、底部１１３、側部１１１，１１２）がシールされている。フィルムの材料及びシール部の態様、包装袋の内容物であるペット用排尿処理材の態様は、実施形態１と同様である。
【００５１】
包装袋１００の上部の左側の一隅には、切り取り線１３０が設けられている。切り取り線１３０は、切り取られることにより、注出口１３１を形成する注出口形成用の切り取り線である。
【００５２】
本実施形態において、切り取り線１３０と、包装袋１００の上辺とのなす角度は５°以上４５°未満である。切り取り線１３０と包装袋の上辺とのなす角度をこのような範囲とすることにより、実施形態１と同様に、所望量の排尿処理材をトイレ容器に注ぎ入れる作業が行いやすくなる。
【００５３】
本実施形態の包装袋１００の上部には把持部１２０が設けられている。本実施形態において把持部１２０は、切り取り線１３０の設けられた一隅（図示左側の隅）とは反対側の上部の一隅（図示右側の隅）に設けられている。把持部１２０を切り取り線１３０と反対側に設けることにより、排尿処理材をトイレ容器に注ぎ入れる作業が行いやすくなる。
【００５４】
本実施形態において、把持部１２０は、波形状の孔から構成されている。この孔の図示右上側は、丸みのある凹凸形状をなしており、凹凸形状の部分に指を配置させて包装袋１００を把持することにより、運搬作業および排尿処理材をトイレ容器に注ぎ入れる作業を安定して行うことが可能である。
【００５５】
把持部１２０の周縁の一部には、フィルムがシールされていない未シール部１２５が設けられている。未シール１２５部は把持部１２０に負荷がかかったときに伸びるようになっており、これにより、把持部１２０がちぎれたり、破れることが抑制される。また、未シール部が設けられていることにより、把持部１２０に手を入れたときの触感を良好なものとすることができる。
【００５６】
本実施形態の作用効果について説明する。
本実施形態において、ペット用排尿処理材の包装袋は、上部の一隅に、切り取られることにより、注出口１３１を形成する注出口形成用の切り取り線１３０を備え、この切り取り線１３０と、包装袋１００の上辺とのなす角度θ１は５°以上４５°未満である。本実施形態において、排尿処理材をトイレ容器に注ぎ入れる際に、注出口１３１が下方に向くように、包装袋１００を傾けると、注出口１３１が開口して図４に示すような形状を呈するので、排尿処理材の注出量の調整が行いやすく、排尿処理材を注ぎ入れる作業の際に、排尿処理材がトイレ容器に注入される様子が見やすい。その結果、本実施形態によれば、包装袋内の排尿処理材の量にかかわらず、所望量の排尿処理材を注ぎ入れる作業を容易に行うことができる。
【００５７】
本実施形態において、把持部１２０は、切り取り線１３０の設けられた一隅とは相違する上部の一隅に設けられている。つまり、本実施形態では、切り取り線１３０を切断して形成される注出口１３１と把持部とは上部の２つの隅にそれぞれ設けられているので、一方の手で把持部１２０を把持して、包装袋１００を持ち上げると、注出口１３１側が下側に傾く。包装袋をさらに傾けると、注出口１３１から、包装袋１００に収容されている排尿処理材が注出されるので、排尿処理材をトイレ容器に注ぎ入れる作業が行いやすい。
【００５８】
また本実施形態において、把持部１２０は、波形状の孔から構成されており、当該孔は、丸みのある凹凸形状をなしているので、凹凸形状の部分に指を配置させて包装袋１００を把持することにより、運搬作業および排尿処理材をトイレ容器に注ぎ入れる作業を安定して行うことができる。
【００５９】
さらに、本実施形態において、把持部１２０の周縁の一部には、フィルムがシールされていない未シール部１２５が設けられており、未シール１２５部は把持部１２０に負荷がかかったときに伸びるようになっているので、把持部１２０がちぎれたり、破れることが抑制される。その結果、本実施形態によれば、把持部を強度に優れたものとすることができる。また、未シール部が設けられていることにより、把持部１２０に手を入れたときの触感を良好なものとすることができる。
【実施例】
【００６０】
以下、本発明を実施例により詳細に説明する。以下の実施例は、本発明を好適に説明するためのものであって、本発明を限定するものではない。なお、物性値等の測定方法は、別途記載がない限り、上記に記載した測定方法である。
【００６１】
［嵩密度］
排尿処理材の嵩密度は、１Ｌ（１０００ｃｍ３）のステンレス製容器に、排尿処理材（試料）を静かに山盛りになるように入れ、上面を水平にすりきり、その試料の重量を測定することで、嵩密度を求めた。
【００６２】
［排尿処理材の直径（平均値）および長さ（平均値）の測定］
排尿処理材（試料）から５０粒をランダムに採取し、ノギスを用いて排尿処理材の直径および長さを測定した。得られた排尿処理材の直径および長さの平均値を少数第２位で四捨五入して排尿処理材の直径および長さとした。
【００６３】
［安息角（平均値）の測定］
角度の目盛りがついた、横蓋付のアクリル製測定器（例えば、高さ１０ｃｍ×奥行１０ｃｍ×幅３ｃｍ等）を平らな場所に置き、該測定器の横蓋を閉じた状態で、該測定器の上面から上方１〜２ｃｍの高さから排尿処理材を流し入れ、該測定器の上面から下方０〜１ｃｍ程の位置まで山盛り状に充填する。次いで、横蓋を静かに開き、充填された排尿処理材を、重力により自然に排出させる。その後、該測定器内に残った排尿処理材の表面と水平面とのなす角度（傾斜角）を、目盛りから読み取り、安息角（°）とする。
上記の方法に従って測定を３回行い、平均値を算出した。
【００６４】
［把持部の強度］
包装袋の上部の把持部を含む領域（上辺から１５ｃｍ、右辺から１５ｃｍの領域）を切り取り、測定用サンプルを得た。具体的には、図１に示すように包装袋をＬ１線とＬ２線で切断し、切り取った部分を測定用サンプルとした。図１においてＡ３は右辺からＬ２までの長さであり、Ａ４は上辺からＬ１までの長さであり、本実施例ではいずれも１５ｃｍである。
【００６５】
計測スタンド（（株）イマダ製、ＩＭＡＤＡ  計測スタンドＭＸ２-１０００Ｎ）及び測定機器（（株）イマダ製、ＩＭＡＤＡ  デジタルフォースゲージＺＰ（Ｚ２）−５００Ｎ）を用いて、以下の方法により、把持部の強度を測定した。
把持部を上にしたときに下側に配される部分を万力で固定し、把持部を測定機器のフックに引っ掛けて検測速度３００ｍｍ／分で上部へ牽引していき、破損したときの強度を測定した。
【００６６】
［注ぎやすさの評価］
各例の包装袋に、排尿用処理材を密封充填し、各包装袋の切り取り線に沿って開封して注出口を形成し、地面に置いた直方体状のトイレ容器（縦４８０ｍｍ×横４００ｍｍ×深さ１３０ｍｍ）に高さ１０〜２０ｃｍの高さから排尿一回分程度に使用される排尿処理材（使用前の質量が約３０ｇ）を注いだ。
排尿処理材を注ぐ時の袋の安定性、把持部の握り易さ、注出量の調整のし易さの観点から注ぎやすさを１０名のパネリストによって評価した。評価基準を下記に記す。
優：  １０名のうち９〜１０名が「注ぎやすい」と回答した。
良：  １０名のうち６〜８名以上が「注ぎやすい」と回答した。
不良：１０名のうち０〜５名が「注ぎやすい」と回答した。
【００６７】
［実施例および比較例で用いた排尿処理材］
実施例及び比較例で用いた排尿処理材は以下のとおりである。
排尿処理材１〜８の形状は円柱状である。
表には排尿処理材の原料、嵩密度、直径、長さ及び安息角を併せて示した。
【００６８】
【表１】
2020196487.tif 000003
【００６９】
（実施例１：実施形態１の包装袋）
ポリアミドからなる厚みが１５μｍの無延伸のフィルムを基材層とし、直鎖状低密度ポリエチレン樹脂（ＬＬＤＰＥ）からなる厚みが８０μｍのフィルムをシーラント層とする積層フィルムを２枚重ねて、その周縁の排尿処理材を充填する部分以外の部分をヒートシールすることにより、袋体を作製した（シール幅は１ｃｍ）。この袋体の右上隅部に、図２で示す形状の把持部を設け、左上隅部に切り取り線を設けることで実施例１の包装袋を得た（図１参照）。この包装袋の大きさは、縦（図１の上下方向の寸法）が４１ｃｍ、横（図１の左右方向の寸法）が３１．５ｃｍであり、その容量は５リットルである。
この包装袋の切り取り線は袋上辺とのなす角度（図１のθ１の角度）が３３°となるように設けられている。切り取り線に対応する上辺長さ（図１のＡ２の長さ）は１０ｃｍ、切り取り線に対応する左辺の長さ（図１のＡ１の長さ）は６．５ｃｍ、切り取り線の未シール部分の長さ（３０Ａから３０Ｂまでの長さ）は９．２ｃｍであった。
この包装袋の把持部は、間隔をあけて設けられた３つの円形孔を含み、円形孔の間の間隙領域は未シール部である。また、３つの円形孔のうち中央の円形孔は２つの端部円形孔からずれた位置に設けられている（表１において「Ｖ字状」と記載）。円形孔の直径は２．５ｃｍである。
得られた包装袋に、排尿処理材１を充填して、周縁の未シール部分をヒートシールして密封状態としたものについて、注ぎやすさの評価試験を行った。
把持部の強度は注ぎやすさの評価試験とは別に作成した本例の包装袋について行った。結果を表に示す。
【００７０】
（実施例２）
把持部の３つの円形孔をその中心が一直線上に並ぶように設けた（直線状の配置とした）こと以外は実施例１と同じ操作を行って、包装袋を作製し、評価試験を行った。
【００７１】
（実施例３）
把持部の３つの円形孔をその中心が一直線上に並ぶように設けた（直線状の配置とした）こと、間隙領域をシール部で構成したこと以外は、実施例１と同じ操作を行い、包装袋を作製し、評価試験を行った。
【００７２】
（実施例４）
把持部の３つの円形孔をハート形状としたこと以外は実施例１と同じ操作を行って、包装袋を作製し、評価試験を行った。
【００７３】
（比較例１）
切り取り線の未シール部の長さを実施例１と同じ条件とするために、切り取り線を、袋上辺とのなす角度が５０°、切り取り線に対応する上辺長さが７．７ｃｍ、切り取り線に対応する左辺の長さが９．２ｃｍ、切り取り線の未シール部分の長さが９．２ｃｍとなるように設けたこと以外は実施例１と同じ操作を行って、包装袋を作製し、評価試験を行った。
【００７４】
【表２】
2020196487.tif 000004
【００７５】
包装袋の上辺とのなす角度θ１が４５°以上である、切り取り線を備える包装袋を用いた場合、注ぎやすさが不良であった（比較例１）。一方、包装袋の上辺とのなす角度θ１が５°以上４５°未満である、切り取り線を備える包装袋を用いた場合、注ぎやすさが良好であった（実施例１〜４）。
【００７６】
把持部の形状が円形孔である実施例１〜３では、把持部の形状がハート形状の実施例４よりも把持部の強度が高く、円形孔の間の間隙領域が未シール部である実施例１および２では特に把持部の強度が高かった。
【００７７】
（実施例５〜８）
実施例１で製造した包装袋に、排尿処理材２〜５を充填したものを、それぞれ実施例５〜８とし、注ぎやすさの評価試験を行ったところ、いずれも注ぎやすいという結果が得られた。
【００７８】
（実施例９）
切り取り線を、袋上辺に対する角度が１７°となるように設けたこと以外は実施例１と同じ操作を行って、包装袋を作製した。
得られた包装袋に排尿処理材６を充填したものを実施例９とし、注ぎやすさの評価試験を行ったところ、いずれも注ぎやすいという結果が得られた。
【００７９】
（実施例１０〜１１）
実施例９で製造した包装袋に排尿処理材７〜８を充填したものを、それぞれ実施例１０〜１１とし、注ぎやすさの評価試験を行ったところ、いずれも注ぎやすいという結果が得られた。
【００８０】
［他の実施形態］
（１）上記実施形態では、把持部が、包装袋の上部の、切り取り線の設けられた一隅とは反対側の上部の一隅に設けられている態様を示したが、把持部の位置はこれに限定されない。把持部の位置は包装袋の上部の中央等であってもよい。
（２）上記実施形態１では、３つの円形孔を含む把持部を示したが、把持部は１または２つの円形孔を含む物であってもよいし４以上の円形孔を含むものであってもよい。また、相違する形状の孔を含むものであってもよい。
（３）上記実施形態では、打ち抜き加工により設けた孔を含む把持部を示したが、切り込みを形成することにより設けた把持部であってもよい。
【符号の説明】
【００８１】
１０，１００…ペット用排尿処理材の包装袋
１１，１１１…側部
１２，１１２…側部
１３，１１３…底部
１４，１１４…上部
１５，１１５…収容部
２０，１２０…把持部
２１，２３…（端部）円形孔
２１Ｐ，２２Ｐ，２３Ｐ…円形孔の中心
２２…（中央）円形孔
２５…間隙領域
２４，１２４…シール部
３０，１３０…切り取り線
３１，１３１…注出口
【図１】
2020196487.tif 000005
【図２】
2020196487.tif 000006
【図３】
2020196487.tif 000007
【図４】
2020196487.tif 000008
【図５】
2020196487.tif 000009
【図６】
2020196487.tif 000010